(57)【要約】【課題】  異なるタイプの記憶装置を、好都合にコンピュータ又は設備のクレードルに追加又はそこから取外しできるようにし、記憶装置のデータを保護する目的を達成する、データの暗号化／暗号解読能力をもつ暗号化及び取外し可能記憶システムを提供すること。【解決手段】  クレードル部分に滑入及びそこから滑出することができ、前記記憶装置を含み、前記記憶装置の電気信号接続を提供するための中空の空間を有する筐体部分と、  前記筐体部分内に配置でき第１のインターフェースを第２のインターフェースに変換し、データの暗号化／暗号解読機能を実行する能力をもつブリッジ部分とを備え、前記第１のインターフェースが、前記第２のインターフェースと信号のタイプ又は物理的な接続タイプで異なることからなる。【選択図】図１
0003114799.tif 000002
【実用新案登録請求の範囲】
【請求項１】
異なるタイプの記憶装置をコンピュータ又は設備のクレードルから好都合に追加又は取外しでき、データの暗号化／暗号解読能力をもつ暗号化取外し可能記憶システムであって、
前記クレードル部分に滑入及びそこから滑出することができ、前記記憶装置を含み、前記記憶装置の電気信号接続を提供するための中空の空間を有する筐体部分と、
前記筐体部分内に配置でき第１のインターフェースを第２のインターフェースに変換し、データの暗号化／暗号解読機能を実行する能力をもつブリッジ部分とを備え、前記第１のインターフェースが、前記第２のインターフェースと信号のタイプ又は物理的な接続タイプで異なることを特徴とする暗号化取外し可能記憶システム。
【請求項２】
前記クレードルの部分が、前記コンピュータ又は設備のドライブ・ベイにしっかりと固定することができ、５  １／４インチ・ドライブ・ベイ内部に永久的に装着された前記ドライブ・ベイの内側寸法と等しい外側寸法を有することを特徴とする請求項１に記載の暗号化取外し可能記憶システム。
【請求項３】
前記ブリッジ部分は、
前記ＰＣＢ上に取外し可能に装着することができ、前記記憶装置の前記第１のインターフェースと前記第２のインターフェースをそれらの間で変換するＡＳＩＣボードと、
前記プリント基板上に配設され、前記ＡＳＩＣボードに接続されて前記ＡＳＩＣボードからデータを受け取り、暗号化又は暗号解読動作を実行し出力するコントローラと、
前記ＰＣＢ上に装着することができ、前記ＡＳＩＣボードに接続され、前記記憶装置をＡＳＩＣボードに接続するコネクタと、
前記ＰＣＢの上面及び底面上に形成することができ、前記コントローラに接続され、前記クレードル部分に接続する雄形金メッキ端子とを担う、前記筺体部分内に配設することができるＰＣＢをさらに備えることを特徴とする請求項１に記載の暗号化取外し可能記憶装置。
【請求項４】
前記コネクタが、ＳＡＴＡ、ＩＤＥ、ＳＣＳＩ、ＵＳＢ、Ｆｉｒｅｗｉｒｅ又はＵＳＩＢインターフェース・コネクタであることを特徴とする請求項３に記載の暗号化取外し可能記憶装置。
【請求項５】
前記雄形金メッキ端子が、ＩＤＥ、ＳＡＴＡ、ＳＣＳＩ、ＵＳＢ、Ｆｉｒｅｗｉｒｅ又はＵＳＩＢ信号をさらに備えることを特徴とする請求項３に記載の暗号化取外し可能記憶装置。
【請求項６】
前記コントローラが、特定用途向け集積回路であることを特徴とする請求項３に記載の暗号化取外し可能記憶装置。
【請求項７】
前記筐体部分が、前記クレードル部分の内側寸法に等しい外側寸法を有することを特徴とする請求項１に記載の暗号化取外し可能記憶装置。
【請求項８】
前記筐体部分が、その前部側に配設された開口をさらに備えることを特徴とする請求項１に記載の暗号化取外し可能記憶装置。
【請求項９】
前記開口から突き出し、電線を介して前記コントローラに接続されている鍵座をさらに備え、前記鍵座にキーを挿入し、前記コントローラを制御して、データの暗号化／暗号解読機能を実行させるかどうかを決めることができることを特徴とする請求項８に記載の暗号化取外し可能記憶装置。
【請求項１０】
前記第１のインターフェースがＳＡＴＡ、ＩＤＥ、ＳＣＳＩ、ＵＳＢ、Ｆｉｒｅｗｉｒｅ又はＵＳＩＢであることを特徴とする請求項１に記載の暗号化取外し可能記憶装置。
【請求項１１】
前記第２のインターフェースがＳＡＴＡ、ＩＤＥ、ＳＣＳＩ、ＵＳＢ、Ｆｉｒｅｗｉｒｅ又はＵＳＢであることを特徴とする請求項１に記載の暗号化取外し可能記憶装置。
【請求項１２】
前記ＡＳＩＣボードが、ＡＳＩＣチップ、プリント基板及びソケットをさらに備え、前記ＡＳＩＣチップは、前記プリント基板の前記上面に装着することができ、前記ソケットは、前記プリント基板の前記底面に装着することができ、したがって前記ＡＳＩＣボードが、前記ブリッジ部分の前記プリント基板に取外し可能に接続され、別の様々な要件にしたがって変換を実施することを特徴とする請求項３に記載の暗号化取外し可能記憶装置。
【請求項１３】
前記記憶装置がハード・ディスク・ドライブであることを特徴とする請求項１に記載の暗号化取外し可能記憶装置。
【考案の詳細な説明】
【技術分野】
【０００１】
本考案は、異なるタイプの記憶装置を、コンピュータ又は設備のクレードルに好都合に追加又は取外しできるようにし、記憶装置のデータを保護する目的を達成する、データの暗号化／暗号解読能力をもつ暗号化取外し可能記憶システムに関する。
【背景技術】
【０００２】
標準的なデスクトップ・コンピュータは、一般的に５  １／４インチ又は３  １／２インチの記憶装置、例えばＣＤ  ＲＯＭ、ＤＶＤ  ＲＯＭ、ＣＤＲＷ  用のドライブ、ハード・ドライブ、ＺＩＰ、スーパーディスクその他を据え付けるために１つ又は複数の区画（ドライブ・ベイとも呼ぶ）を設けている。空間的な制約で、多くのデスクトップ・コンピュータ、Ｋｉｏｓｋ又は計算設備は、１つか２つのドライブ・ベイしか有さず、したがって据え付けることができる装置の数が制限されている。記憶装置をドライブ用の区画に一旦据え付けるとその記憶装置を取替え又はアップグレードするには訓練された技術者による慎重なコンピュータの分解及び再組立が必要である。
【０００３】
データ記憶装置には、主として取外し可能記憶装置及びハード・ディスク記憶装置の２通りがある。記憶装置のこの２つのタイプには、適用形態により異なる利点がある。
【０００４】
取外し可能記憶装置では、より多くの記憶空間が必要になると記憶媒体を取り替えることができる。媒体のコストは比較的廉価である。しかし、一般的に取外し可能記憶装置のためのデータ転送速度は、ハード・ディスクに比べ非常に遅い。したがって、取外し可能記憶装置は、データの保管（ａｒｃｈｉｖｉｎｇ）に役立つ。取外し可能記憶装置媒体に記憶したデータにアクセスするには、コンピュータは、その媒体からデータを読み出すことができる、互換性がある装置を有しなくてはならない。例えば、ＣＤＲＷ媒体にあるデータにアクセスするにはＣＤＲＷドライブ又はＣＤＲＯＭドライブが必要であるし、ＤＶＤ媒体にあるデータにアクセスするにはＤＶＤドライブが必要であり、２５０ＭＢ  ＺＩＰ媒体にあるデータにアクセスするには２５０ＭＢ  ＺＩＰドライブが必要になる。その結果、コンピュータは、様々な取外し可能記憶装置にあるデータにアクセスするためには、様々なタイプのドライブを備えていなければならない。
【０００５】
ハード・ディスク記憶装置の場合、媒体とドライブは一体になっている。この設計により、ハード・ディスクのためのデータ転送速度は、取外し可能記憶装置に比べ非常に速い。したがって、ハード・ディスクは、プログラム・ファイルの記憶や絶えずアクセスされるデータの記憶並びに画像を流すのに役立つ。ハード・ドライブ及び記憶媒体は全て１つのユニット内で一体化されているので、コンピュータ内部からのハード・ディスク・コントローラ・ケーブル及び電源ケーブルをハード・ドライブに接続することによってコンピュータは、ハード・ドライブに記憶されたデータにアクセスできる。しかし、この接続方式でハード・ドライブをコンピュータに接続するにはコンピュータを開くこと及び技量が必要である。
【０００６】
外付けハード・ドライブが、コンピュータを開かずにドライブをコンピュータに接続する問題を解決する。外付けハード・ドライブは、コンピュータの一般的なＩ／Ｏポート、ＵＳＢ、ＦｉｒｅＷｉｒｅ又はＰＣＭＣＩＡのうちの１つを介してコンピュータにつながる。外付けハード・ドライブは全てバード・ドライブ及びインターフェース電子装置を収容する筐体で構築されている。ハウジング及びインターフェース電子装置のための追加コストが、外付けハード・ドライブを内部ＩＤＥドライブに比べ非常に高価なものにしている。したがって、外付けハード・ドライブの容量を使い切ったとき、ユーザは、さらなる記憶容量を得るために他の外付けハード・ドライブを購買しなくてはならなくなる。さらに、この従来の設計を有する外付けハード・ドライブは、単一のインターフェースにしか使用できないという制限もある。外付けＵＳＢハード・ドライブの場合、ＵＳＢポートを有しないコンピュータは使用することができない。
【０００７】
しかし、従来技術による外付けハード・ドライブは、データの暗号化／暗号解読機能をサポートしていないので、外付けハード・ドライブは、如何なるコンピュータ又は設備のクレードル装置にも追加することができ、そのハード・ドライブのデータには、何ら困難を伴なわずにアクセスでき、したがってデータの暗号化／暗号解読機能をサポートしない外付けハード・ドライブを使用したためにハード・ドライブにある会社又は個人の重要なデータが盗まれることもある。
【０００８】
したがって、本特許の解決策又は考案は、異なるタイプの記憶装置を好都合にコンピュータ又は装置のクレードルに追加又は取外しできるようにする、データの暗号化／暗号解読能力をもつ暗号化取外し可能記憶システムを取り扱う。
【考案の開示】
【考案が解決しようとする課題】
【０００９】
本考案の目的は、異なるタイプの記憶装置を、好都合にコンピュータ又は設備のクレードルに追加又はそこから取外しできるようにし、記憶装置のデータを保護する目的を達成する、データの暗号化／暗号解読能力をもつ暗号化及び取外し可能記憶システムを提供することである。
【課題を解決するための手段】
【００１０】
本考案の非制約的一実施形態によれば、暗号化取外し可能記憶システムは、前記クレードル部分に滑入及びそこから滑出することができ、前記記憶装置を含み、前記記憶装置の電気信号接続を提供するための中空の空間を有する筐体部分と、前記筐体部分内に配置でき第１のインターフェースを第２のインターフェースに変換し、データの暗号化／暗号解読機能を実行する能力をもつブリッジ部分とを備え、前記第１のインターフェースが、前記第２のインターフェースと信号のタイプ又は物理的な接続タイプで異なる。
又、前記クレードルの部分が、前記コンピュータ又は設備のドライブ・ベイにしっかりと固定することができ、５  １／４インチ・ドライブ・ベイ内部に永久的に装着された前記ドライブ・ベイの内側寸法と等しい外側寸法を有することが好適である。
又、前記ブリッジ部分は、
前記ＰＣＢ上に取外し可能に装着することができ、前記記憶装置の前記第１のインターフェースと前記第２のインターフェースをそれらの間で変換するＡＳＩＣボードと、
前記プリント基板上に配設され、前記ＡＳＩＣボードに接続されて前記ＡＳＩＣボードからデータを受け取り、暗号化又は暗号解読動作を実行し出力するコントローラと、
前記ＰＣＢ上に装着することができ、前記ＡＳＩＣボードに接続され、前記記憶装置をＡＳＩＣボードに接続するコネクタと、
前記ＰＣＢの上面及び底面上に形成することができ、前記コントローラに接続され、前記クレードル部分に接続する雄形金メッキ端子とを担う、前記筺体部分内に配設することができるＰＣＢをさらに備えることが好適である。
又、前記コネクタが、ＳＡＴＡ、ＩＤＥ、ＳＣＳＩ、ＵＳＢ、Ｆｉｒｅｗｉｒｅ又はＵＳＩＢインターフェース・コネクタであることが好適である。
又、前記雄形金メッキ端子が、ＩＤＥ、ＳＡＴＡ、ＳＣＳＩ、ＵＳＢ、Ｆｉｒｅｗｉｒｅ又はＵＳＩＢ信号をさらに備えることが好適である。
又、前記コントローラが、特定用途向け集積回路であることが好適である。
又、前記筐体部分が、前記クレードル部分の内側寸法に等しい外側寸法を有することが好適である。
又、前記筐体部分が、その前部側に配設された開口をさらに備えることが好適である。
又、前記開口から突き出し、電線を介して前記コントローラに接続されている鍵座をさらに備え、前記鍵座にキーを挿入し、前記コントローラを制御して、データの暗号化／暗号解読機能を実行させるかどうかを決めることができることが好適である。
又、前記第１のインターフェースがＳＡＴＡ、ＩＤＥ、ＳＣＳＩ、ＵＳＢ、Ｆｉｒｅｗｉｒｅ又はＵＳＩＢであることが好適である。
又、前記第２のインターフェースがＳＡＴＡ、ＩＤＥ、ＳＣＳＩ、ＵＳＢ、Ｆｉｒｅｗｉｒｅ又はＵＳＢであることが好適である。
又、前記ＡＳＩＣボードが、ＡＳＩＣチップ、プリント基板及びソケットをさらに備え、前記ＡＳＩＣチップは、前記プリント基板の前記上面に装着することができ、前記ソケットは、前記プリント基板の前記底面に装着することができ、したがって前記ＡＳＩＣボードが、前記ブリッジ部分の前記プリント基板に取外し可能に接続され、別の様々な要件にしたがって変換を実施することが好適である。
さらに、前記記憶装置がハード・ディスク・ドライブであることが好適である。
【考案を実施するための最良の形態】
【００１１】
本考案は、添付図面及び下記説明を参照にすればより完全に理解されよう。
【００１２】
図１は、本考案による暗号化取外し可能記憶システムの斜視図面を示す図である。本考案による暗号化取外し可能記憶装置は、異なるタイプの記憶装置、例えばＳＡＴＡ、ＩＤＥ、ＳＣＳＩ、ＵＳＢ、Ｆｉｒｅｗｉｒｅ又はＵＳＩＢを、コンピュータを分解及び再組立することなく、好都合にコンピュータ又は設備に追加又はそこから取外し可能にできるようにし、記憶装置のデータを保護するようにデータの暗号化／暗号解読能力をもち、筐体部分１０及びブリッジ部分２０を備える。筐体部分１０は、コンピュータ又は設備のクレードル部分３０に追加又は取外しすることができる。クレードル部分３０は、コンピュータ又は設備のドライブ・ベイと同じ幅及び高さを有するように設計され、クレードル部分３０（図４を参照）を標準の５  １／４インチ・ドライブ・ベイ（簡単にするために図示せず）内に取り付けられたときにとまりばめが生ずるようになされている。ドライブ・ベイに収めたら、クレードル部分３０をねじによりドライブ・ベイの側部にしっかりと固定することが好ましい。
【００１３】
筐体部分１０は、クレードル部分３０に滑入及びそこから滑出することができ、ハード・ディスク・ドライブのような記憶装置５０を含み、記憶装置５０の電気信号接続を提供し、記憶装置５０は、例えばＳＡＴＡ、ＩＤＥ、ＳＣＳＩ、ＵＳＢ、Ｆｉｒｅｗｉｒｅ又はＵＳＩＢタイプのハード・ドライブであり、特にＳＡＴＡタイプのハード・ディスクが高速でありケーブルのサイズが小さいので好ましい。クレードル部分３０及び筐体部分１０は、プラスチック又はアルミニウムのような金属材料製が好ましい。さらに筐体部分１０は、その前部に配設された開口１２をさらに含む。
【００１４】
ブリッジ部分２０は、筐体部分１０内に配置することができ、第１のインターフェースを第２のインターフェースに変換し、データの暗号化／暗号解読機能を実行する能力をもち、第１のインターフェースが、それらに制限されるものではないが例えば、記憶装置５０のＳＡＴＡ、ＩＤＥ、ＳＣＳＩ、ＵＳＢ、Ｆｉｒｅｗｉｒｅ、又はＵＳＩＢインターフェースであり、第２のインターフェースが、それらに制限されるものではないが例えば、コンピュータ又は設備のＳＡＴＡ、ＩＤＥ、ＳＣＳＩ、ＵＳＢ、Ｆｉｒｅｗｉｒｅ、又はＵＳＩＢインターフェースであり、特に第１のインターフェースが、第２のインターフェースと信号のタイプ又は物理的な接続タイプで異なる。本考案の非制約的一例であるが、ブリッジ部分２０は、記憶装置５０の第１のインターフェース、例えばＳＡＴＡ、ＩＤＥ、ＳＣＳＩ、ＵＳＢ、Ｆｉｒｅｗｉｒｅ、又はＵＳＩＢインターフェースの信号を、信号のタイプ又は物理的な接続のタイプにおいてコンピュータ又は設備の第２のインターフェース、例えばＩＤＥインターフェースの信号に変換することができる。
【００１５】
図２は、本考案の一実施形態による暗号化取外し可能記憶システムの筐体部分の拡大図である。筐体部分１０は、中空の空間１１を有し記憶装置５０、例えばＳＡＴＡ、ＩＤＥ、ＳＣＳＩ、ＵＳＢ、Ｆｉｒｅｗｉｒｅ、又はＵＳＢＩインターフェース・ハード・ディスク及びブリッジ部分２０を含むが、図示の目的で、ＳＡＴＡハード・ディスク・ドライブが記憶装置５０として想定されている。ＡＳＩＣボード２２（図３参照）によるＳＡＴＡインターフェースとＩＤＥインターフェース間での変換を実行するために、ハード・ディスク・ドライブ５０のＳＡＴＡコネクタ５１（図４を参照）が、ブリッジ部分２０のＳＡＴＡコネクタ２３に直接接続される。筐体部分１０を組立てるとき、先ずハード・ディスク・ドライブ５０を空間１１内に配置、固定し、次いでハード・ディスク５０のコネクタ５１（図４参照）をブリッジ部分２０のＳＡＴＡコネクタ２３に直接接続する。
【００１６】
図３は、本考案の一実施形態によるブリッジ部分のブロック図である。図に示すように本考案によるブリッジ部分２０は、ＰＣＢ２１、ＡＳＩＣボード２２、コネクタ２３、コントローラ２４及び雄形金メッキ端子２５をさらに備える。
【００１７】
ＰＣＢ２１は、筐体部分１０の空間１１内に配置することができ、ＡＳＩＣボード２２、コネクタ２３及びコントローラ２４を担い、ＡＳＩＣボード２２はＰＣＢ２１に取外し可能に装着することができ、ハード・ディスク・ドライブ５０の第１のインターフェース（例えばＳＡＴＡ）を第２のインターフェース（例えばＩＤＥ）に変換し、その後コンピュータのマザーボード上又は設備（図示せず）のコントロール・ボード上のＩＤＥインターフェースに接続し、コネクタ２３は、例えばＳＡＴＡ、ＩＤＥ、ＳＣＳＩ、ＵＳＢ、Ｆｉｒｅｗｉｒｅ、又はＵＳＩＢがあるが、ここでは図示のため、コネクタ２３としてＰＣＢ２１に装着することができ、ＡＳＩＣ２２ボードに直接接続してハード・ディスク・ドライブ５０をＡＳＩＣ２２ボードに直接接続するＳＡＴＡコネクタを想定しており、コントローラ２４は、特定用途向け集積回路（Ａｐｐｌｉｃａｔｉｏｎ  Ｓｐｅｃｉｆｉｃａｔｉｏｎ  Ｉｎｔｅｇｒａｔｅｄ  Ｃｉｒｃｕｉｔ：ＡＳＩＣ）であり、前記プリント基板２１上に配設され、前記ＡＳＩＣボード２２に接続されて前記ＡＳＩＣボード２２からデータを受け取り暗号化／暗号解読動作を実行し、雄形金メッキ端子２５は、ＰＣＢ２１の上面及び底面上に形成され、部分的にＰＣＢ２１から突き出ており、コントローラ２４に接続されてクレードル部分３０に接続され、雄形金メッキ端子２５が、クレードル３０のスロット（形状図示せず）に従来通り挿入されるように標準のＩＤＥ信号又はＳＡＴＡ、ＳＣＳＩ、ＵＳＢ、Ｆｉｒｅｗｉｒｅ、又はＵＳＩＢ信号をさらに備える。したがって、ＩＤＥインターフェースをもつコンピュータ又は設備は、暗号化取外し可能記憶システムを使用してＳＡＴＡハード・ディスク・ドライブ５０にアクセスすることができハード・ディスク・ドライブ５０のデータは、コントローラ２４により暗号化／暗号解読ができハード・ディスク・ドライブ５０のデータを盗難から保護することができる。
【００１８】
ＡＳＩＣボード２２は、ＡＳＩＣチップ２２１、プリント基板２２２及びソケット２２３をさらに備え、ＡＳＩＣチップ２２１はプリント基板２２２の上面に装着することができ、ソケット２２３はプリント基板２２２の底面に装着することができ、したがってＡＳＩＣボード２２が、ブリッジ部分２０のプリント基板２１に取外し可能に接続され別の様々な要件にしたがって変換を実施する。
【００１９】
本考案の暗号化取外し可能記憶システムは、前記開口１２から突き出た鍵座４０（ｌｏｃｋ  ｓｅａｔ）をさらに備え前記コントローラ２４にワイヤ４１を介して接続されており、前記鍵座４０にキー４５を挿入して前記コントローラ２４を制御し、暗号化／暗号解読機能を実行するか否かを決めることができ、例えばユーザがキー４５をオンの位置にすると、コントローラ２４は、暗号化／暗号解読機能を実行できるようになり、ユーザがキー４５をオフの位置にすると、コントローラ２４は暗号化／暗号解読機能を実行できなくなり、つまり本考案の暗号化取外し可能記憶システムは、鍵座４０の状態によってハード・ディスク・ドライブ５０に対して暗号化／暗号解読機能を実施することができる。したがって、コントローラの暗号化／暗号解読機能が、キー４５を使用して実行可能にされていれば、ハード・ディスク・ドライブ５０に書き込まれ／から読み出されたデータは暗号化／解読され、本装置の暗号化取外し可能記憶システムのキー４５を使用せずにハード・ディスク・ドライブ５０は読み出しできず、したがってハード・ディスク・ドライブ５０のデータを保護するという目的が達成される。
【００２０】
図４は、本考案の一実施形態による、クレードル部分に付加された暗号化取外し可能記憶システムの組立て姿図である。図示のように、組立てるときユーザは、ハード・ディスク・ドライブ５０、例えばＳＡＴＡタイプのハード・ディスク・ドライブを筐体部分１０の中空の空間１１に配設し、次いでハード・ディスク・ドライブ５０のＳＡＴＡコネクタ５１をブリッジ部分２０のＳＡＴＡコネクタ２３に直接接続することができ、次に筐体部分１０を外側から内側に、スロット端に十分近くまで滑入させ雄形金メッキ端子２５をクレードル部分３０のスロットに直接差し込み、最後にクレードル部分３０をコンピュータのドライブ・ベイに挿入し複数のねじ（形状図示せず）で固定し雄形ＩＤＥコネクタ３５をコンピュータのマザーボード或いは設備の制御ボード（ｃｏｎｔｒｏｌ  ｂｏａｒｄ）のＩＤＥインターフェースに接続する。動作中、ユーザは、キー４５を使用して鍵座４０を回し、コントローラ２４が、データの暗号化／暗号解読機能を実行できるようにさせ、次いでハード・ディスク・ドライブ５０に記憶させるようにすることができ、したがってハード・ディスク・ドライブ５０に記憶されたデータは、ユーザがキー４５を有するとき以外は読み取ることができない。したがって、ハード・ディスク・ドライブ５０のデータを保護することができる。
【００２１】
本考案は、その好ましい実施形態を参照して開示されてきたが、添付実用新案の請求項に定義される本考案の精神から逸脱することなく、変更例又は改変例が容易に実施できることを理解されたい。
【図面の簡単な説明】
【００２２】
【図１】本考案の一実施形態による暗号化取外し可能記憶システムの斜視図である。
【図２】本考案の一実施形態による暗号化取外し可能記憶システムの筐体部分の拡大図である。
【図３】本考案の一実施形態によるブリッジ部分のブロック図である。
【図４】クレードル部分に追加された、本考案の一実施形態による暗号化取外し可能記憶システムの組立て外観図である。
【符号の説明】
【００２３】
１０  筐体部分
１１  中空の空間
１２  開口端部
２０  ブリッジ部分
２１  ＰＣＢ
２２  ＡＳＩＣボード
２３  ＳＡＴＡコネクタ
２４  コントローラ
２５  雄形金メッキ端子
３０  クレードル部分
３５  雄形ＩＤＥコネクタ
４０  鍵座
４１  電線
４５  キー
５０  記憶装置／ハード・ディスク・ドライブ
５１  ＳＡＴＡコネクタ
２２１  ＡＳＩＣチップ
２２２  プリント基板
２２３  ソケット
３２３  ソケット
【図１】
0003114799.tif 000003
【図２】
0003114799.tif 000004
【図３】
0003114799.tif 000005
【図４】
0003114799.tif 000006
【手続補正書】
【提出日】平成17年7月21日(2005.7.21)
【手続補正１】
【補正対象書類名】実用新案登録請求の範囲
【補正対象項目名】請求項４
【補正方法】変更
【補正の内容】
【請求項４】
前記コネクタが、ＳＡＴＡ、ＩＤＥ、ＳＣＳＩ、ＵＳＢ、Ｆｉｒｅｗｉｒｅ（登録商標）又はＵＳＩＢインターフェース・コネクタであることを特徴とする請求項３に記載の暗号化取外し可能記憶装置。
【手続補正２】
【補正対象書類名】実用新案登録請求の範囲
【補正対象項目名】請求項５
【補正方法】変更
【補正の内容】
【請求項５】
前記雄形金メッキ端子が、ＩＤＥ、ＳＡＴＡ、ＳＣＳＩ、ＵＳＢ、Ｆｉｒｅｗｉｒｅ（登録商標）又はＵＳＩＢ信号をさらに備えることを特徴とする請求項３に記載の暗号化取外し可能記憶装置。
【手続補正３】
【補正対象書類名】実用新案登録請求の範囲
【補正対象項目名】請求項１０
【補正方法】変更
【補正の内容】
【請求項１０】
前記第１のインターフェースがＳＡＴＡ、ＩＤＥ、ＳＣＳＩ、ＵＳＢ、Ｆｉｒｅｗｉｒｅ（登録商標）又はＵＳＩＢであることを特徴とする請求項１に記載の暗号化取外し可能記憶装置。
【手続補正４】
【補正対象書類名】実用新案登録請求の範囲
【補正対象項目名】請求項１１
【補正方法】変更
【補正の内容】
【請求項１１】
前記第２のインターフェースがＳＡＴＡ、ＩＤＥ、ＳＣＳＩ、ＵＳＢ、Ｆｉｒｅｗｉｒｅ（登録商標）又はＵＳＢであることを特徴とする請求項１に記載の暗号化取外し可能記憶装置。
【手続補正５】
【補正対象書類名】明細書
【補正対象項目名】０００６
【補正方法】変更
【補正の内容】
【０００６】
外付けハード・ドライブが、コンピュータを開かずにドライブをコンピュータに接続する問題を解決する。外付けハード・ドライブは、コンピュータの一般的なＩ／Ｏポート、ＵＳＢ、ＦｉｒｅＷｉｒｅ（登録商標）又はＰＣＭＣＩＡのうちの１つを介してコンピュータにつながる。外付けハード・ドライブは全てバード・ドライブ及びインターフェース電子装置を収容する筐体で構築されている。ハウジング及びインターフェース電子装置のための追加コストが、外付けハード・ドライブを内部ＩＤＥドライブに比べ非常に高価なものにしている。したがって、外付けハード・ドライブの容量を使い切ったとき、ユーザは、さらなる記憶容量を得るために他の外付けハード・ドライブを購買しなくてはならなくなる。さらに、この従来の設計を有する外付けハード・ドライブは、単一のインターフェースにしか使用できないという制限もある。外付けＵＳＢハード・ドライブの場合、ＵＳＢポートを有しないコンピュータは使用することができない。